(57)【要約】【課題】市販のフレキシブルな袋体に着脱可能な補助具を提供することにより、製造コストを抑制しつつ、フレキシブルな袋体を自立させることができ、液体や流動性の高い荷物に対してもフレキシブルな袋体を使用することができるようにすることを目的とする。【解決手段】本発明の袋体の自立補助具は、荷物を充填させて運搬又は保管するための袋体１の自立補助具であって、荷物を充填させた袋体１の側面外周を覆う筒体２と、筒体２に設けられ袋体１に接続される連結部３とを備えている。【選択図】図１
2008074407.tif 000002
【特許請求の範囲】
【請求項１】
荷物を充填させて運搬又は保管するための袋体の自立補助具であって、前記荷物を充填させた前記袋体の側面外周を覆う筒体と、該筒体に設けられ前記袋体に接続される連結部と、を備えることを特徴とする袋体の自立補助具。
【請求項２】
前記筒体は、可撓性を有する板状体と、該板状体の両端を着脱可能に接続する接続部と、からなることを特徴とする請求項１に記載の袋体の自立補助具。
【請求項３】
前記接続部は、面ファスナーにより構成されている、ことを特徴とする請求項２に記載の袋体の自立補助具。
【請求項４】
前記面ファスナーは、上部よりも下部の方が面積が大きく構成されている、ことを特徴とする請求項３に記載の袋体の自立補助具。
【請求項５】
前記連結部は、前記袋体を外部から把持するクランプを有する、ことを特徴とする請求項１乃至請求項４のいずれかに記載の袋体の自立補助具。
【請求項６】
前記筒体は、前記袋体の底面を覆う下敷体が連結される、ことを特徴とする請求項１乃至請求項５のいずれかに記載の袋体の自立補助具。
【発明の詳細な説明】
【技術分野】
【０００１】
本発明は、フレキシブルな袋体を自立させるための補助具に関し、とくに液体や流動性の高い物質の荷物の運搬に適したものである。
【背景技術】
【０００２】
食品、飼料、肥料、化学工業製品、合成樹脂、セメント関連等の粉粒物の荷物を運搬するための大型の袋体は、一般にフレキシブルコンテナバッグと呼ばれている。このフレキシブルコンテナバッグは、ポリプロピレンやポリエチレン等を箱型や円柱型に成形したものであり、柔らかく、使用しない時には小さく折り畳むことができることを特徴とする。また、フレキシブルコンテナバッグの上部には吊ベルトが設けられており、クレーンや自動充填装置等で吊り上げて運ぶことができるものや、上部投入口に加え下部排出口を備えているものが多い。
【０００３】
ところが、固体や流動性の低い粉粒物の荷物であれば、フレキシブルコンテナバッグに荷物を充填した状態であっても、安定して自立させることができるが、液体や流動性の高い物質の荷物を充填した場合には、安定して自立させることができず、フレキシブルコンテナバッグが傾斜したり転倒したりして荷物が漏れてしまうという問題がある。また、例えば、汚泥や化学物質等の荷物の場合には、荷物が漏れてしまうと周辺環境を汚染してしまうという問題に発展する可能性もある。
【０００４】
そこで、フレキシブルコンテナバッグを自立させるために、フレキシブルコンテナバッグの生地に棒状部材を挿し込んで補強したものが多く提案されている。しかしながら、これらの自立方法は、フレキシブルコンテナバッグそのものに棒状部材を予め挿入して成形したものであり、製造コストが高くなるという問題や小さく折り畳むことができなくなってしまうという問題があった。また、フレキシブルコンテナバッグの表面にポケットを形成し、該ポケットに樹脂製のボードを着脱可能にしたものも提案されている（特許文献１参照）。
【特許文献１】特開２００３−２８５８９８号公報
【０００５】
特許文献１の段落［００３０］及び［００３１］によれば、かかるフレキシブルバッグは、本体側部の各面を構成する４枚の各原反に同じ大きさのポケットを縫い付け、底部の原反に排出口を取り付け、側部本体となる４枚の原反を四角形状となるように縫い合わせ（パネル縫製）、これに排出口が付いた底部を取り付け、隣接する側面の上部の角に跨るように吊りベルトを付け、さらに投入口を取り付け、最後に側面の各ポケットに所定の大きさのボードを差し込むことにより製造される。したがって、ボードを着脱可能にしたことにより、自立させるための組み立て時の取り扱いが容易となり、収納時はフレキシブルバッグをコンパクトに収納することができるかもしれないが、フレキシブルバッグそのものを加工又は製造する必要があり、使用する数だけフレキシブルコンテナバッグを発注しなければならず、依然として製造コストが高くなるという問題が残っていた。
【発明の開示】
【発明が解決しようとする課題】
【０００６】
そこで、本発明は、上述した問題に鑑み、市販のフレキシブルな袋体に着脱可能な補助具を提供することにより、製造コストを抑制しつつ、フレキシブルな袋体を自立させることができ、液体や流動性の高い荷物に対してもフレキシブルな袋体を使用することができるようにすることを目的とする。
【課題を解決するための手段】
【０００７】
本発明によれば、荷物を充填させて運搬又は保管するための袋体の自立補助具であって、前記荷物を充填させた前記袋体の側面外周を覆う筒体と、該筒体に設けられ前記袋体に接続される連結部と、を備えることを特徴とする袋体の自立補助具が提供される。
【０００８】
前記筒体は、可撓性を有する板状体と、該板状体の両端を着脱可能に接続する接続部とから構成されてもよく、前記接続部は面ファスナーにより構成されてもよく、前記面ファスナーは上部よりも下部の方が面積が大きく構成されていてもよい。また、前記連結部は、前記袋体を外部から把持するクランプを有していてもよい。さらに、前記筒体は、前記袋体の底面を覆う下敷体が連結されていてもよい。
【発明の効果】
【０００９】
本発明の袋体の自立補助具によれば、袋体を新たに製造又は加工することなく、簡易な構造で袋体の傾斜又は転倒を防止することができ、液体や流動性の高い荷物を袋体に充填しても荷物が漏れることがない。また、本発明の袋体の自立補助具は、着脱可能なため、袋体を自立させる必要がない場合は、取り外しておくことができ、袋体の収容時の邪魔にならない。とくに筒体の接続部に面ファスナーを採用することにより、容易に着脱が可能となる。また、連結部をクランプとすることで容易に外部から筒体を袋体に接続させることができる。さらに、筒体に下敷体を付加することにより、袋体をコンベア等で運搬する場合に、乗継地点等で袋体がコンベア等に巻き込まれるのを防止することができる。
【発明を実施するための最良の形態】
【００１０】
以下、本発明を実施するための最良の形態について、図１乃至図４を用いて説明する。ここで、図１は本発明の袋体の自立補助具を袋体に連結した状態を示す外観図であり、図２は筒体の展開図であり、図３は筒体の接続部の他の実施形態を示す図であり、図４は本発明の袋体の自立補助具の他の実施形態を示す図である。
【００１１】
図１に示すように、本発明の袋体の自立補助具は、荷物を充填させて運搬又は保管するための袋体１の自立補助具であって、荷物を充填させた袋体１の側面外周を覆う筒体２と、筒体２に設けられ袋体１に接続される連結部３とを備えている。
【００１２】
前記袋体１は、市販のフレキシブルコンテナバッグであり、食品、飼料、肥料、化学工業製品、合成樹脂、セメント関連等の粉粒物、汚泥等の荷物を運搬するための大型の袋体である。このフレキシブルコンテナバッグは、ポリプロピレンやポリエチレン等を円柱型に成形したものであり、柔らかく、使用しない時には小さく折り畳むことができる。また、図示した袋体１は、自動充填装置（図示せず）の投入口にクランプ等で直接接続されるタイプのものであり、吊ベルトや下部排出口を備えていないものである。ただし、本発明の自立補助具は、図示したタイプの袋体１に限られず、箱型のもの、吊ベルトや下部排出口を備えたものにも使用することができる。
【００１３】
前記筒体２は、図１及び図２に示すように、可撓性を有する板状体２１と、板状体２１の両端を着脱可能に接続する接続部２２とから構成されている。板状体２１は、合成樹脂、好ましくは塩化ビニル樹脂により成形され、使用しない時は、図２に示すように展開した状態で収納され、使用する時は、図１に示すように接続部２２で接続されて円柱型の筒体２をなすようになっている。袋体１が箱型（四角柱）の場合には、板状体２１は、４面の板状部と３箇所の折り曲げ部とからなるように成形すればよい。なお、筒体２は、図示したものに限られず、接続部２２が着脱可能ではなく、常に円柱型や箱型の筒体をなした形状であってもよい。
【００１４】
前記板状体２１の周方向（長手方向）の一端部の下方（袋体１の底部側）には、接続部２２を形成するための短冊状の接続部取付体２１ａが設けられている。この接続部取付体２１ａは、接続部２２の構造により、短冊状の他に、正方形状、台形状、三角形状等の種々の形状が採用される（図３参照）。なお、この接続部取付体２１ａは、接着剤や縫合により板状体２１に固着される。
【００１５】
前記接続部２２は、板状体２１及び接続部取付体２１ａに固着された面ファスナーにより構成されている。面ファスナーは、フック面とループ面とを有し、片側一面がフック面又はループ面のものでもよいし、片側一面にフック面とループ面とが混在したものでもよい。また、フック面は鉤状でもマッシュルーム状でも矢尻状でもよい。接続部２２に面ファスナーを採用することにより、接続部２２を容易に着脱させることができる。接続部２２は、図２に示すように、第１面ファスナー２２ａと第２面ファスナー２２ｂとから構成されている。第１面ファスナー２２ａは、板状体２１の周方向（長手方向）の一端部裏面の幅方向略全域に渡って固着されるとともに、板状体２１の周方向（長手方向）の他端部表面の幅方向略全域に渡って固着されている。また、第２面ファスナー２２ｂは、接続部取付体２１ａの裏面の略全域に固着されるとともに、板状体２１の周方向（長手方向）の他端部表面の下方に固着されている。かかる構成により、第１面ファスナー２２ａどうし及び第２面ファスナー２２ｂどうしを接続し、板状体２１を筒状に成形する。なお、第１面ファスナー２２ａ及び第２面ファスナー２２ｂは、接着剤や縫合により板状体２１又は接続部取付体２１ａに固着される。
【００１６】
前記接続部２２は、図２に示すように、下方の面ファスナーの面積が大きくなるように構成されている。つまり、接続部２２の上方は第１面ファスナー２２ａにより接続されるのに対し、下方は第１面ファスナー２２ａ及び第２面ファスナー２２ｂにより接続され、下方の方が結合力が大きくなるようになっている。これは、袋体１に流動性の高い荷物を充填して床面等に載置した場合、袋体１の下方側が外方に広がり易いためである。すなわち、この袋体１の変形により接続部２２が剥がれるのを防止し、筒体１の形状を維持するためである。
【００１７】
この接続部２２は、図３に示すように、種々の形態を採用することができる。図３は筒体の接続部の他の実施形態を示す図であり、（Ａ）は接続部取付体２１ａを正方形状にした形態、（Ｂ）は接続部取付体２１ａを長さの異なる短冊状にした形態、（Ｃ）は接続部取付体２１ａを台形状にした形態を示す部分展開図である。なお、各図において、板状体２１の他の部分は図２に示した形態と同じであるため重複した説明を省略する。
【００１８】
図３（Ａ）に示す形態は、接続部取付体２１ａを正方形状に構成したものであり、第２面ファスナー２２ｂも略正方形状に形成されている。かかる構成を採用することにより、接続部取付体２１ａを１箇所に集約することができ、補助具の製造コストを削減することができる。なお、第２面ファスナー２２ｂを短冊状に形成して複数の第２面ファスナー２２ｂを図３（Ａ）に示した接続部取付体２１ａに固着するようにしてもよいし、接続部取付体２１ａを長方形状に成形してもよいことは勿論である。
【００１９】
図３（Ｂ）に示す形態は、接続部取付体２１ａを長さの異なる複数の短冊状に構成したものであり、各接続部取付体２１ａに第２面ファスナー２２ｂが固着されている。また、接続部取付体２１ａ及び第２面ファスナー２２ｂは、下方にいくにしたがって長さが長くなるように構成されている。図では、接続部取付体２１ａが３本の短冊状のものを示したが、２本でもよいし、４本以上でもよいことは勿論である。かかる構成を採用することにより、袋体１に荷物を充填した時に、筒体２に加わる圧力に比例して結合力を高めることができ、筒体２の解体を防止することができる。
【００２０】
図３（Ｃ）に示す形態は、接続部取付体２１ａを台形状に構成したものであり、接続部取付体２１ａに複数の第２面ファスナー２２ｂが固着されている。接続部取付体２１ａは、下方にいくにしたがって幅が広くなる台形状であり、長さの異なる２本の第２面ファスナー２２ｂが固着されており、板状体２１寄りの第２面ファスナー２２ｂが長く、外側の第２面ファスナー２２ｂが短く構成されている。かかる構成を採用することにより、袋体１に荷物を充填した時に、筒体２に加わる圧力に比例して結合力を高めることができる。なお、第２面ファスナー２２ｂには、三角形状、台形状、長方形状又は正方形状のものを採用してもよいし、３本以上の長方形状のものを並列に配列してもよいことは勿論である。
【００２１】
前記連結部３は、袋体１を外部から把持するクランプ３１を有する。クランプ３１は、例えば、スプリングクランプであって、板状体２１の上部（袋体１の投入口側）に形成された連結孔２１ｂに、リング状面ファスナー３２及びリング状スチールワイヤ３３を介して接続されている。リング状面ファスナー３２は、短冊状に形成した基布の表面の略全面及び裏面の一端に面ファスナーを取り付けたものであり、連結孔２１ｂ及びリング状スチールワイヤ３３に一端を通過させて裏面の面ファスナーを表面の面ファスナーの任意の場所に接合してリングを形成することができるようになっている。かかるリング状面ファスナー３２を採用することにより、クランプ３１を容易に着脱することができる。また、クランプ３１は、袋体１の大きさにもよるが、４箇所〜８箇所程度の個数を設けることが好ましく、６箇所の個数を設けることが最も好ましい。連結部３として、クランプ３１を採用したことにより、市販のスプリングクランプ等を使用することができ、袋体１を外部から容易に把持することができる。したがって、袋体１を自立させるために、筒体２を袋体１に接続するだけでよく、袋体１を加工したり新たに製造したりする必要がなく、市販のフレキシブルコンテナバッグを使用することができる。
【００２２】
図４は本発明の袋体の自立補助具の他の実施形態を示す図であり、（Ａ）は袋体に連結した状態を示す外観図であり、（Ｂ）は下敷体の展開図である。図４に示す実施形態は、図１に示した自立補助具に下敷体４を付加したものである。下敷体４は、筒体２の板状体２１と同じ材質で形成されており、袋体１の底面の大部分を覆うことができる略長方形の板状体である。下敷体４は、袋体１の底面の全体を覆うことができる略円形状や正方形状であってもよい。かかる下敷体４は、４箇所に設けられたリング状面ファスナー４１により筒体２に連結される。リング状面ファスナー４１は、短冊状の面ファスナーを下敷体４の四隅に形成された一対の連結孔４ａ及び筒体２（板状体２１）の下部に形成された一対の連結孔２１ｃに掛け回して端部どうしを面ファスナーで連結することによって、下敷体４及び筒体２を連結する。
【００２３】
上述した本発明の袋体１の自立補助具は、上述の構造に加え、袋体１に規定量の水（例えば、袋体容量１ｍ３に対して１ｍ３）を注入しても袋体１が転倒しない、袋体１に規定量の水（例えば、袋体容量１ｍ３に対して１ｍ３）を注入しても筒体２が解体しない、規定密度２ｔ／ｍ３のスラッジを充填しても筒体２が解体しない、袋体１にクランプ３１を連結しても筒体２が落下しない、筒体２又は下敷体４の準備を一人で行うことができる、繰り返し使用することができる等の条件を満たしたものである。その結果、袋体１を新たに製造又は加工することなく、簡易な構造の自立補助具を製造して袋体１に連結するだけで筒体２により袋体１を自立させることができ、液体や流動性の高い荷物を袋体１に充填しても袋体１が傾斜や転倒して荷物が漏れることを防止することができる。また、本発明の自立補助具は、着脱可能なため、袋体１を自立させる必要がない場合は取り外しておくことができ、袋体１の収容時の邪魔にならず、自立補助具自身も平板状であるため収容が容易である。また、筒体２に下敷体４を付加することにより、袋体１をコンベア等で運搬する場合に、乗継地点等で袋体１がコンベア等に巻き込まれるのを防止することができる。
【００２４】
上述した本発明の袋体１の自立補助具は、袋体１が自動充填装置（図示せず）に設置される直前や袋体１が自動充填装置に設置されて空袋搬送コンベア（図示せず）により吊り下げられて回送されている間等、荷物の充填前に筒体２が連結部３により袋体１に取り付けられる。このとき、板状体２１を先に筒状にして筒体２を形成してから袋体１の下方から挿通するようにして取り付けてもよいし、板状体２１を袋体１に巻き付けるようにして筒体２を形成して取り付けてもよい。また、下敷体４を取り付ける場合には、同様に荷物を充填する前（袋体１が自動充填装置に設置される直前や袋体１が自動充填装置に設置され空袋搬送コンベアにより吊り下げられて回送されている間等）に筒体２の下部に取り付ける。筒体２が連結された袋体１は所定の位置でテーブルリフター（図示せず）に載置され、投入口から荷物が充填される。所定量の荷物が充填されると、袋体１は空袋搬送コンベア（図示せず）から取り外されてテーブル上に載置されたまま実袋搬送コンベア（図示せず）により搬出される。このとき、袋体１には本発明の自立補助具が連結されているため、自立性が保持される。また、袋体１が別のコンテナ等の容器に移送されて運搬される場合や流動性の高い荷物をセメント固化させた場合等、自立性が要求されなくなったり、自立補助具がなくても自立できるようになったりした場合には、袋体１の運搬中に本発明の自立補助具を取り外して再利用を行う。したがって、本発明の自立補助具を再利用できる場合には、袋体１と同数だけ予め製造しておく必要はなく、作業中に不足しない程度の数だけ製造しておけば十分である。
【００２５】
本発明は上述した実施形態に限定されず、板状体２１を可撓性のある金属板により成形してもよい、自動充填装置の種類に応じて連結部３の連結位置や個数を変更してもよい等、本発明の趣旨を逸脱しない範囲で種々変更が可能であることは勿論である。
【図面の簡単な説明】
【００２６】
【図１】本発明の袋体の自立補助具を袋体に連結した状態を示す外観図である。
【図２】筒体の展開図である。
【図３】筒体の接続部の他の実施形態を示す図あり、（Ａ）は接続部取付体２１ａを正方形状にした形態、（Ｂ）は接続部取付体２１ａを長さの異なる短冊状にした形態、（Ｃ）は接続部取付体２１ａを台形状にした形態を示す部分展開図である。
【図４】本発明の袋体の自立補助具の他の実施形態を示す図であり、（Ａ）は袋体に連結した状態を示す外観図であり、（Ｂ）は下敷体の展開図である。
【符号の説明】
【００２７】
１    袋体
２    筒体
３    連結部
４    下敷部
４ａ    連結孔
２１    板状体
２１ａ    接続部取付体
２１ｂ    連結孔
２１ｃ    連結孔
２２    接続部
２２ａ    第１面ファスナー
２２ｂ    第２面ファスナー
３１    クランプ
３２    リング状面ファスナー
３３    リング状スチールワイヤ
４１    リング状面ファスナー
【図１】
2008074407.tif 000003
【図２】
2008074407.tif 000004
【図３】
2008074407.tif 000005
【図４】
2008074407.tif 000006